(57)【要約】【課題】    鏡本体と物体との位置関係を鏡本体側で調節でき、物体と光照射手段との位置関係を光照射手段側で調整できる鏡装置を提供する。【解決手段】鏡本体と、鏡本体に映る物体を照らす光照射手段と、支持物により支持され、鏡本体を第１回動軸の回りに回動可能に支持すると共に、光照射手段を第２回動軸の回りに回動可能に支持する本体部と、を備えてなる鏡装置である。第１回動軸と第２回動軸とが略平行又は一致するものであってもよく、光照射手段が、線分である光源配置線分にそって細長く形成される光源又は光源配置線分に沿って配設された複数の光源を有するものであってもよい。【選択図】  図１
2010110495.tif 000002
【特許請求の範囲】
【請求項１】
鏡本体と、
鏡本体に映る物体を照らす光照射手段と、
支持物により支持され、鏡本体を第１回動軸の回りに回動可能に支持すると共に、光照射手段を第２回動軸の回りに回動可能に支持する本体部と、
を備えてなる鏡装置。
【請求項２】
第１回動軸と第２回動軸とが略平行又は一致するものである、請求項１に記載の鏡装置。
【請求項３】
光照射手段が、線分である光源配置線分にそって細長く形成される光源又は光源配置線分に沿って配設された複数の光源を有するものである、請求項１又は２に記載の鏡装置。
【請求項４】
光源が光源配置線分又は光源配置線分に平行な線分の回りに回動可能なものである、請求項３に記載の鏡装置。
【請求項５】
光源配置線分の一端近傍において光照射手段が本体部に第２回動軸の回りに回動可能に支持されるものである、請求項３又は４に記載の鏡装置。
【請求項６】
光源配置線分に平行な直線又は光源配置線分を含む直線と、第２回動軸と、が略垂直に交わるものである、請求項５に記載の鏡装置。
【請求項７】
第１回動軸と第２回動軸とが一致するものであり、
光照射手段が鏡本体に取り付けられることにより、光照射手段が本体部に対して第２回動軸の回りに回動可能に支持されるものである、請求項１乃至４のいずれか１に記載の鏡装置。
【請求項８】
鏡本体が平面に沿った反射面を有し、
該反射面に略平行な一平面に略属する少なくとも２点に光照射手段の光源が配置されるものである、請求項７に記載の鏡装置。
【請求項９】
鏡本体を挟んで一対の光照射手段が配設されるものである、請求項１乃至８のいずれか１に記載の鏡装置。
【請求項１０】
前記鏡装置の使用状態において第１回動軸が略水平なものである、請求項１乃至９のいずれか１に記載の鏡装置。
【請求項１１】
手で把持される把持部を本体部が有するものである、請求項１乃至１０のいずれか１に記載の鏡装置。
【請求項１２】
前記支持物が本体部を載置する載置面を有し、本体部が該載置面に載置されることで前記支持物により支持されるものである、請求項１乃至１１のいずれか１に記載の鏡装置。
【請求項１３】
光照射手段から発せられる光の色温度が変化可能なものである、請求項１乃至１２のいずれか１に記載の鏡装置。
【請求項１４】
前記物体が人体の顔面であり、化粧用の鏡として使用されるものである、請求項１乃至１３のいずれか１に記載の鏡装置。
【発明の詳細な説明】
【技術分野】
【０００１】
本発明は、鏡装置に関し、より詳細には、光照射手段によって物体を照らしながら鏡本体に該物体を映す鏡装置に関する。
【背景技術】
【０００２】
光照射手段によって物体を照らしながら鏡本体に該物体を映す鏡装置は、物体を明るく照らしつつ観察できるので種々の分野に用いられてきた（例えば、特許文献１）。
特許文献１は、「顔に陰が形成されることなく的確に顔の化粧を行うことができ、またコンタクトの装用やマニキュアの塗布や髭剃りなども的確に行うことのできる洗面化粧台を提供することを目的」（特許文献１、発明の詳細な説明中の段落番号０００４）としてなされたものであり、具体的には「洗面ボールの上方に設けられたミラーを備えた洗面化粧台において、前記ミラーの下端近傍の高さ位置に設けられた半透明棚と、前記半透明棚の内側に設けられた照明部とを備えていることを特徴とする洗面化粧台」（特許文献１、発明の詳細な説明中の段落番号０００５）を開示している。これによって特許文献１の洗面化粧台においては、「洗面ボールの上方に設けられたミラーの下端近傍の高さ位置に半透明棚が設けられ、この半透明棚の内側に照明部が設けられている。したがって、半透明棚を介した照明部からの間接照明により、ミラーに正対した人の顔を下からも照らすことができ、顔に陰が形成されることなく、的確な顔の化粧をすることが可能になる。また、半透明棚を介した照明部からの間接照明を手元照明として有効に利用し、コンタクトの装用やマニキュアの塗布や髭剃りなども的確に行うことができる。また、下から照明されて光っている半透明棚の上に、半透明のコップや歯ブラシや飾り瓶などを見栄え良く置くことができる。すなわち、本発明の洗面化粧台では、顔に陰が形成されることなく的確に顔の化粧を行うことができ、またコンタクトの装用やマニキュアの塗布や髭剃りなども的確に行うことができる。」（特許文献１、発明の詳細な説明中の段落番号０００７〜０００８）というものである。
【０００３】
【特許文献１】特開２００６−６８１８号公報（例えば、要約、特許請求の範囲、発明の詳細な説明中の段落番号０００１〜０００８、００１２、００１４、００１５、第１図、第２図等）
【発明の開示】
【発明が解決しようとする課題】
【０００４】
確かに、特許文献１に記載の洗面化粧台は、光照射手段（特許文献１においては照明部を内側に設けた半透明棚）によって物体（特許文献１においてはミラーに正対した人の顔）を照らしながら鏡本体（特許文献１においてはミラー）に該物体（人の顔）を映す鏡装置であり、該物体（特許文献１においては人の顔）を明るく照らしつつ観察できるものであるが、鏡本体（特許文献１においてはミラー）と物体（特許文献１においては人の顔）との位置関係は鏡本体（特許文献１においてはミラー）側で調整できず、物体（特許文献１においては人の顔）を移動させることにより調整する必要があるため、その調整が困難であったり煩雑になり得る。さらに、特許文献１に記載の洗面化粧台においては、物体（特許文献１においては人の顔）と光照射手段（特許文献１においては照明部を内側に設けた半透明棚）との位置関係も光照射手段（特許文献１においては照明部を内側に設けた半透明棚）側で調整できず、物体（特許文献１においては人の顔）を移動させることにより調整する必要があるため、その調整が困難であったり煩雑になり得る。このことは鏡本体に映された物体を光照射手段が照らす状態をうまく調節できず、該物体が化粧をする際の人体の顔面である場合には、顔面への化粧の微妙な状態を観察しにくいという大きな問題になり得る。
【０００５】
そこで、本発明においては、鏡本体と物体との位置関係を鏡本体側で調節でき、物体と光照射手段との位置関係を光照射手段側で調整できる鏡装置を提供することを目的とする。
【課題を解決するための手段】
【０００６】
本発明の鏡装置（以下、「本装置」という。）は、鏡本体と、鏡本体に映る物体を照らす光照射手段と、支持物により支持され、鏡本体を第１回動軸の回りに回動可能に支持すると共に、光照射手段を第２回動軸の回りに回動可能に支持する本体部と、を備えてなる鏡装置である。
本装置は、鏡本体と光照射手段と本体部とを備える。
鏡本体は、本装置により観察すべき物体を映すことができるものであれば特に制限されるものではなく、例えば、一般的な鏡（平面鏡、曲面鏡等）を用いることができる。
光照射手段は、鏡本体に映して観察する物体を所望程度照らすことができるものであればよく何ら制限されるものではなく、例えば、発光ダイオード（ＬＥＤ）、白熱電球、蛍光灯等のような光源を含んで構成できるが、発光ダイオード（ＬＥＤ）を用いれば消費電力や発熱を抑えることができる。
本体部は、本装置を支持する支持物により支持される。そして、本体部は、鏡本体を第１回動軸の回りに回動可能に支持すると共に、光照射手段を第２回動軸の回りに回動可能に支持する。
このため支持物により支持される本体部に対して鏡本体が第１回動軸の回りに回動可能に支持されると共に、支持物により支持される本体部に対して光照射手段が第２回動軸の回りに回動可能に支持されることから、支持物により支持された本装置において鏡本体を第１回動軸の回りに回動させることで鏡本体と物体（本装置により観察すべき物体）との位置関係を鏡本体側で調節でき、光照射手段を第２回動軸の回りに回動させることで物体（本装置により観察すべき物体）と光照射手段との位置関係を光照射手段側で調整できる。
なお、第１回動軸は、鏡本体を第１回動軸の回りに回動させることで鏡本体と物体との位置関係を調節するための軸（仮想上の軸）であるので、鏡本体を第１回動軸の回りに回動させた際に鏡本体が映し出す物体の像が変化するような軸が第１回動軸として選ばれることが好ましく、鏡本体の反射面が第１回動軸の回りで回転面にならないような軸としてもよい（例えば、鏡本体が平面鏡のときは該平面に略平行な軸を第１回動軸としてもよい）。
第２回動軸は、光照射手段を第２回動軸の回りに回動させることで物体と光照射手段との位置関係を調整するための軸（仮想上の軸）であるので、光照射手段を第２回動軸の回りに回動させた際に光照射手段が物体を照らす光の向き又は強度が変化するような軸が第２回動軸として選ばれる。
【０００７】
第１回動軸と第２回動軸とが略平行又は一致するものであってもよい。
こうすることで鏡本体を第１回動軸の回りに回動させて物体がうまく鏡本体に映るように調整する（これにより物体と観察者の目とが鏡本体の反射面を挟んで所定の位置関係になる。）と共に、第１回動軸と略平行又は一致する第２回動軸の回りに光照射手段を回動させることで、光照射手段からの光線が物体にうまくあたるよう容易に物体と光照射手段との位置関係を調整することができる。
【０００８】
光照射手段が、線分である光源配置線分にそって細長く形成される光源又は光源配置線分に沿って配設された複数の光源を有するもの（以下、「線状光源本装置」という。）であってもよい。
こうすることで光照射手段からの光線が光源配置線分にそって長い範囲に照射されるので、鏡本体に映して観察する物体を広い範囲で照らすことができ、物体の観察を容易ならしめる。
【０００９】
線状光源本装置の場合、光源が光源配置線分又は光源配置線分に平行な線分の回りに回動可能なものであってもよい。
こうすることで光源がそれに沿って細長く形成された線分又は複数の光源がそれに沿って配置された線分である光源配置線分又はそれに平行な線分の回りに光源が回動可能であるので、光照射手段からの光線の照射方向を光源配置線分又はそれに平行な線分の回りに変化させることができ、鏡本体に映して観察する物体を照らす方向をうまく調整することができる。
【００１０】
線状光源本装置の場合、光源配置線分の一端近傍において光照射手段が本体部に第２回動軸の回りに回動可能に支持されるもの（以下、「一端回動線状光源本装置」という。）であってもよい。
こうすることで光照射手段が第２回動軸の回りに回動されると、光源がそれに沿って細長く形成された線分又は複数の光源がそれに沿って配置された線分である光源配置線分の一端近傍を中心に回動されるので、第２回動軸の回りの同じ角度の回動であっても光源配置線分の中心部分を中心に回動する場合に比し光源の移動量（変位量）を大きくすることができる。このため光照射手段を第２回動軸の回りに回動させることで物体と光照射手段との位置関係を迅速かつ容易に調整することができる。
【００１１】
一端回動線状光源本装置の場合、光源配置線分に平行な直線又は光源配置線分を含む直線と、第２回動軸と、が略垂直に交わるものであってもよい。
こうすることで光源配置線分の一端近傍において光照射手段が、光源配置線分に平行な直線又は光源配置線分を含む直線と略垂直な第２回動軸の回りに回動するので、第２回動軸の回りの同じ角度の回動であっても光源の移動量（変位量）をより大きくすることができる。このため光照射手段を第２回動軸の回りに回動させることで物体と光照射手段との位置関係を一層迅速かつ容易に調整することができる。
【００１２】
本装置においては、第１回動軸と第２回動軸とが一致するものであり、光照射手段が鏡本体に取り付けられることにより、光照射手段が本体部に対して第２回動軸の回りに回動可能に支持されるもの（以下、「一体回動本装置」という。）であってもよい。
こうすることで光照射手段が鏡本体に取り付けられることで、光照射手段が本体部に対して第２回動軸の回りに回動可能に支持されるので、鏡本体を第１回動軸の回りに回動可能に支持する手段とは別個に光照射手段を第２回動軸の回りに回動可能に支持する手段を設ける必要がないため、本装置の構成を簡単かつ容易にすることができる。また、鏡本体を第１回動軸の回りに回動させることで鏡本体と物体との位置関係を調節するステップと、光照射手段を第２回動軸の回りに回動させることで物体と光照射手段との位置関係を調節するステップと、の両ステップを別個に行う必要がなく鏡本体と光照射手段とを一緒に回動させ位置関係を調節すれば足りることから、本装置の使用を容易ならしめる。なお、ここにいう「光照射手段が鏡本体に取り付けられる」とは、光照射手段が別の部材を介することなく直接に鏡本体に取り付けられる場合と、光照射手段が別の部材を介して間接に鏡本体に取り付けられる場合と、の両方の場合を含む。
【００１３】
一体回動本装置の場合、鏡本体が平面に沿った反射面を有し、該反射面に略平行な一平面に略属する少なくとも２点に光照射手段の光源が配置されるものであってもよい。
こうすることで平面に沿った反射面に略平行な一平面に略属する複数の点に光照射手段の光源が配置されるので、鏡本体を第１回動軸の回りに回動させることで鏡本体と物体との位置関係を調節すれば、鏡本体の反射面に略平行な一平面に属する複数（少なくとも２以上）の光源も物体に向けることができる。
【００１４】
本装置においては、鏡本体を挟んで一対の光照射手段が配設されるものであってもよい。
こうすることで一対の光照射手段が物体を鏡本体の両側から照らすので、物体に影が少なくなり、物体の観察を容易ならしめる。
【００１５】
本装置においては、前記鏡装置の使用状態において第１回動軸が略水平なものであってもよい。
物体を鏡本体に映して観察する場合、鏡本体に映す位置を上下方向に調節すべきことが多い。鏡本体を回動させる第１回動軸を本装置の使用状態において略水平にすれば、鏡本体を第１回動軸の回りに回動させることで鏡本体に映す位置を上下方向にうまく調節することができる。
【００１６】
本装置においては、手で把持される把持部を本体部が有するものであってもよい。
こうすることで本体部が有する把持部を把持し、容易かつ確実に本装置を移動させることができる。
【００１７】
本装置においては、前記支持物が本体部を載置する載置面を有し、本体部が該載置面に載置されることで前記支持物により支持されるものであってもよい。
こうすることで本体部が該載置面（例えば、机やテーブル等の上面）に載置されることで前記支持物により支持されるので、迅速かつ確実に本装置を前記支持物に支持させることができる。
【００１８】
本装置においては、光照射手段から発せられる光の色温度が変化可能なものであってもよい。
光の色温度とは、該光の色度に等しい色度の放射を発する黒体の温度であり、色温度が高くなるにつれて該光は赤、白そして青の色に変化する。
鏡本体に映して観察する物体の種類によって、該物体を照らす光照射手段からの光の好適な色温度はそれぞれ異なる場合がある（例えば、該物体が人の顔面であれば肌色がきれいに観察できるような色温度がよく、該物体が衣服であれば該衣服の色彩がきれいに観察できるような色温度がよい。）。このため鏡本体に映して観察する物体の種類に応じ、光照射手段から発せられる光の色温度を適した温度に変化させることができるようにしてもよい。光照射手段から発せられる光の色温度の変化範囲としては、鏡本体に映して観察する物体の種類に応じ適宜定められてよいが、一般的には、白熱電球から発せられる光に相当する３０００Ｋ（ケルビン）〜太陽光に相当する６５００Ｋ（ケルビン）程度の範囲とされることが好ましい。
【００１９】
本装置においては、前記物体が人体の顔面であり、化粧用の鏡として使用されるものであってもよい。
こうすることで鏡本体を第１回動軸の回りに回動させることで鏡本体と顔面（物体）との位置関係を鏡本体側で調節でき、光照射手段を第２回動軸の回りに回動させることで顔面（物体）と光照射手段との位置関係を光照射手段側で調整できるので、光照射手段がうまく照らした状態の顔面を鏡本体にうまく映し出すことができ、顔面の化粧の状態を正確に把握し的確かつ正確に化粧を行うことができる。
【発明を実施するための最良の形態】
【００２０】
以下、本発明の実施の形態を図面を参照して説明する。しかしながら、これらによって本発明は何ら制限されるものではない。
【００２１】
（第１実施形態）
図１は、第１実施形態の本発明の鏡装置（以下、「第１本装置」という）１１を示す正面図であり、図２は第１本装置１１の右側面図（図１中、矢印Ａ方向から見たところを示している。）である。図１及び図２を参照して、第１本装置１１について説明する。
ここでは第１本装置１１は、テーブル１０１（支持物）の略水平な上面１０３（載置面）に載置されており、後述の通り鏡本体５１の反射面５１ｓに人体の顔面（図示せず）を映して化粧するのに用いられるものである。
【００２２】
第１本装置１１は、大まかには、テーブル１０１の上面１０３に載置される基台部２１と、基台部２１から上方（鉛直上方をいい、図１及び図２中に矢印Ｃとして示す。）に向かって立ち上がるように形成された門型のフレーム部３１と、フレーム部３１の最上部に取り付けられた把持部４１と、フレーム部３１に対して支持軸５５ａ、５５ｂによって回動自在に取り付けられた鏡本体５１と、フレーム部３１の左右（図１に「左」を矢印Ｌとして示し、「右」を矢印Ｒとして示す。）に一対備えられ基台部２１に回動自在に取り付けられた光照射部６１ａ、６１ｂと、を備えてなる。
なお、図２においては、基台部２１に対する光照射部６１ｂの回動状態を示すため、光照射部６１ｂがある回動位置にあるときを光照射部６１ｂａと、光照射部６１ｂが他の回動位置にあるときを光照射部６１ｂｂと、して示し（即ち、光照射部６１ｂａと光照射部６１ｂｂとは、光照射部６１ｂが２の異なる回動位置に存する状態を図示したものである。）、これら光照射部６１ｂａと光照射部６１ｂｂとの間の回動を矢印Ｄにて示した。また、このような基台部２１に対する光照射部６１ｂの回動と同様に、光照射部６１ａも基台部２１に対して回動可能である。
また、図１及び図２においては、光照射部６１ａ、６１ｂを発光させるための電力供給を行う電線等は図示を省略している。
【００２３】
基台部２１は、中空箱形状の基台部本体２３と、基台部本体２３の上面から立ち上がるように形成された中央立ち上がり部２４ｃと、中央立ち上がり部２４ｃとの間に光照射部６１ａ（の下端部分）を挟むよう基台部本体２３の上面から立ち上がるように形成された左側立ち上がり部２４ａと、中央立ち上がり部２４ｃとの間に光照射部６１ｂ（の下端部分）を挟むよう基台部本体２３の上面から立ち上がるように形成された右側立ち上がり部２４ｂと、光照射部６１ａ、６１ｂから発せられる光線を制御（具体的には断続、強度調整、色温度調整）する図示しない制御部（基台部本体２３内部に内蔵される。）と、第１本装置１１の使用者（不図示）が光照射部６１ａ、６１ｂからの光線を断続（オンオフ）するため操作する基台部本体２３外面に設けられた電源スイッチ２７ａと、第１本装置１１の使用者（不図示）が光照射部６１ａ、６１ｂからの光線の強度を調節するため操作する基台部本体２３外面に設けられた強度調節ノブ２７ｂと、第１本装置１１の使用者（不図示）が光照射部６１ａ、６１ｂからの光線の色温度を調節するため操作する基台部本体２３外面に設けられた色温度調節ノブ２７ｃと、を備えている。
また、上述の如く、実際には第１本装置１１に電力供給を行うための電線（先端は、商用電源の交流１００Ｖが供給されるコンセントに接続されるためのプラグが取り付けられており、第１本装置１１が使用される際には該プラグを該コンセントに接続する。）が基台部２１には接続されており、該電線によって前記制御部に電源が供給される。前記制御部は、電源スイッチ２７ａ、強度調節ノブ２７ｂ及び色温度調節ノブ２７ｃの操作に応じて光照射部６１ａ、６１ｂの発光を制御する。なお、光照射部６１ａ、６１ｂは、後述のように複数の発光ダイオード（ＬＥＤ）によって発光するものであり、発光ダイオードの発光の強度及び色温度の調節は既知の技術を用いて行うことができるのでここでは詳しい説明は省略する。
【００２４】
フレーム部３１は、長方形の３辺に沿って配設された門型（片仮名の「コ」の字型）の金属製の棒状部材によって構成されており、基台部２１の中央立ち上がり部２４ｃから上方に突出するように中央立ち上がり部２４ｃに取り付けられている（フレーム部３１が形成する片仮名の「コ」の字の両端（下端）が中央立ち上がり部２４ｃに取り付け（固着）られている）。
把持部４１は、フレーム部３１の最上部に水平方向に向かって配設された横部材３１ｔに取り付けられた片仮名「コ」の字型の金属製部材によって形成されており、第１本装置１１の使用者の手（不図示）によって容易かつ確実に把持できるものである。
【００２５】
鏡本体５１は、平面の一部（具体的には略長方形）に沿った反射面５１ｓ（物体を映す面）を有し、支持軸５５ａ、５５ｂを介してフレーム部３１に対し回動軸（以下、「鏡回動軸」という。図１中に点線Ｅにより示し、図２中に点Ｅにより示す。）の回りに回動自在に支持されている。鏡本体５１の重心を鏡回動軸Ｅはほぼ通過しており（なお、鏡回動軸Ｅは、反射面５１ｓが形成する略長方形の２辺に略平行であり、かつ他の２辺に略垂直である。）、反射面５１ｓは鏡回動軸Ｅに対して線対称に略なっていることから、鏡本体５１は鏡回動軸Ｅを中心に円滑に回動することができる。なお、鏡本体５１は、フレーム部３１と中央立ち上がり部２４ｃとにより取り囲まれる空間に配設されているが、鏡本体５１が鏡回動軸Ｅを中心に回転してもこれらフレーム部３１や中央立ち上がり部２４ｃに接触しない。
【００２６】
左右に一対備えられる光照射部６１ａ、６１ｂはいずれも同様のものであり、具体的には、金属製の中空な直円筒（有蓋無底の内部が中空な直円柱）部材によって形成される外筒部６３ａ、６３ｂと、外筒部６３ａ、６３ｂの内部に収容された発光ダイオード６５ａ、６５ｂと、発光ダイオード６５ａ、６５ｂを保護するための透明な樹脂製のカバー６７ａ、６７ｂと、を有してなる。
【００２７】
外筒部６３ａ、６３ｂは、それらの形状である直円柱の軸に沿って細長く開口６４ａ、６４ｂ（内部と外部とを連通させる）が設けられ、開口６４ａ、６４ｂに沿って発光ダイオード６５ａ、６５ｂが複数（ここでは１０個）配設されている。なお発光ダイオード６５ａ、６５ｂは、外筒部６３ａ、６３ｂが形成する直円柱の軸に略平行な線分である光源配置線分６２ａ、６２ｂ（仮想上の線分であり図１及び図２中では点線で示している。）に沿って複数配設されている。ここでは図示しないが、複数の発光ダイオード６５ａ、６５ｂが光源配置線分６２ａ、６２ｂに沿って外筒部６３ａ、６３ｂの内部にて支持されるよう、真っ直ぐな棒状の発光ダイオード支持部材（不図示）に複数の発光ダイオード６５ａ、６５ｂが等間隔で取り付けられており、かかる複数の発光ダイオード６５ａが長手方向に等間隔にて取り付けられた発光ダイオード支持部材（以下、「発光ダイオード組立体」という）が外筒部６３ａに内嵌（遊嵌）される（発光ダイオード組立体は外筒部６３ａに対して所定範囲内にて回動自在である）と共に、複数の発光ダイオード６５ｂが長手方向に等間隔にて取り付けられた発光ダイオード支持部材（発光ダイオード組立体）が外筒部６３ｂに内嵌（遊嵌）されている（発光ダイオード組立体は外筒部６３ｂに対して所定範囲内にて回動自在である）。そして、外筒部６３ａに内嵌された発光ダイオード組立体はその下端近傍に回動つまみ６８ａを有し、外筒部６３ｂに内嵌された発光ダイオード組立体はその下端近傍に回動つまみ６８ｂを有し、これら回動つまみ６８ａ、６８ｂはいずれも外筒部６３ａ、６３ｂ外部から操作可能に露出していることから、第１本装置１１の使用者は手（不図示）によりこれら回動つまみ６８ａ、６８ｂを図１中左右（矢印Ｌ及びＲ）に動かすことで、発光ダイオード組立体いずれも外筒部６３ａ、６３ｂに対して所定範囲内にて回動（外筒部６３ａ、６３ｂが形成する直円柱の軸を略中心として回動）させることができる。
なお、前述の如く、発光ダイオード６５ａ、６５ｂのいずれも基台部２１に内蔵される制御部（不図示）に電気的に接続されており、電源スイッチ２７ａ、強度調節ノブ２７ｂ及び色温度調節ノブ２７ｃの操作に応じ、発光ダイオード６５ａ、６５ｂからの発光を自由に断続、強度調整及び色温度調整（ここでは３０００Ｋ〜６５００Ｋ程度の範囲内で調整できる。）することができる。
【００２８】
外筒部６３ａの下端近傍は、左側立ち上がり部２４ａと中央立ち上がり部２４ｃとの間に嵌入されており、左側立ち上がり部２４ａと中央立ち上がり部２４ｃとに両端が支持され外筒部６３ａの下端近傍を貫通する貫通軸（図示せず）によって外筒部６３ａは基台部２１に対して回動軸Ｆ１を中心に回動自在に取り付けられている。同様に、外筒部６３ｂの下端近傍は、中央立ち上がり部２４ｃと右側立ち上がり部２４ｂとの間に嵌入されており、中央立ち上がり部２４ｃと右側立ち上がり部２４ｂとに両端が支持され外筒部６３ｂの下端近傍を貫通する貫通軸（図示せず）によって外筒部６３ｂは基台部２１に対して回動軸Ｆ２を中心に回動自在に取り付けられている。なお、ここでは回動軸Ｆ１と回動軸Ｆ２とは同一直線上に略存するようにされており、外筒部６３ａ、６３ｂが形成する直円柱の軸と該直線とは略直交する。
【００２９】
このような第１本装置１１は、その使用者の手（不図示）によって把持部４１を把持することで、様々な場所に持ち運んで化粧を行う際の化粧鏡として使用可能である。
そして、図１及び図２に示すように、テーブル１０１の上面１０３等に基台部２１を載置した後、（イ）化粧を施す顔面（不図示）が反射面５１ｓにうまく映されるよう鏡本体５１をフレーム部３１に対し鏡回動軸Ｅの回りに回動させ調整する。そして、（ロ）電源スイッチ２７ａを入れることで発光ダイオード６５ａ、６５ｂを発光させる（無論、第１本装置１１に電力供給を行うための電線の先端に取り付けられたプラグを、商用電源の交流１００Ｖが供給されるコンセントに接続しておく。）。（ハ）化粧を施す顔面（不図示）がうまく観察できるよう強度調節ノブ２７ｂ及び色温度調節ノブ２７ｃを操作し発光ダイオード６５ａ、６５ｂからの発光を調整する。（ニ）光照射部６１ａ、６１ｂを基台部２１に対して回動軸Ｆ１、Ｆ２を中心に回動させ回動位置を調節する。（ホ）回動つまみ６８ａ、６８ｂを操作し発光ダイオード組立体を回動させ回動位置を調節する。そして必要に応じ、これら（ハ）、（ニ）及び（ホ）を適宜行うことで、化粧を施す顔面（不図示）を反射面５１ｓにうまく映し、化粧をすることができる。
【００３０】
以上説明した通り、第１本装置１１は、鏡本体５１と、鏡本体５１に映る物体（ここでは化粧を施す顔面）を照らす光照射手段たる光照射部６１ａ、６１ｂと、支持物（ここではテーブル１０１）により支持され、鏡本体５１を第１回動軸（ここでは鏡回動軸Ｅ）の回りに回動可能に支持すると共に、光照射手段（光照射部６１ａ、６１ｂ）を第２回動軸（回動軸Ｆ１、回動軸Ｆ２）の回りに回動可能に支持する本体部（ここでは基台部２１とフレーム部３１と把持部４１とを含んで構成される。）と、を備えてなる鏡装置である。
そして、ここでは第１回動軸（鏡回動軸Ｅ）と第２回動軸（回動軸Ｆ１、回動軸Ｆ２）とが略平行である。
【００３１】
第１本装置１１においては、光照射手段（光照射部６１ａ、６１ｂ）が、線分である光源配置線分６２ａ、６２ｂに沿って配設された複数の光源（複数の発光ダイオード６５ａ、６５ｂ）を有するものである。
そして、光源（複数の発光ダイオード６５ａ、６５ｂ）が光源配置線分６２ａ、６２ｂに平行な線分の回りに回動可能なものである（回動つまみ６８ａ、６８ｂを操作し発光ダイオード組立体を回動させればよい）。
第１本装置１１においては、光源配置線分６２ａ、６２ｂの一端近傍において光照射手段（光照射部６１ａ、６１ｂ）が本体部（基台部２１とフレーム部３１と把持部４１とを含む）に第２回動軸（回動軸Ｆ１、回動軸Ｆ２）の回りに回動可能に支持されるものである。なお、ここでは光源配置線分６２ａ、６２ｂの一端（ここでは下端）よりも他端（ここでは上端）から遠ざかった位置において光照射手段（光照射部６１ａ、６１ｂ）が本体部（基台部２１とフレーム部３１と把持部４１とを含む）に第２回動軸（回動軸Ｆ１、回動軸Ｆ２）の回りに回動可能に支持されている。
第１本装置１１においては、光源配置線分６２ａ、６２ｂに平行な直線又は光源配置線分６２ａ、６２ｂを含む直線と、第２回動軸（回動軸Ｆ１、回動軸Ｆ２）と、が略垂直に交わるものである。
【００３２】
第１本装置１１においては、鏡本体５１を挟んで一対の光照射手段（光照射部６１ａ、６１ｂ）が配設されるものである。
第１本装置１１の使用状態（例えば、図１及び図２）において第１回動軸（鏡回動軸Ｅ）が略水平なものであり、さらに第２回動軸（回動軸Ｆ１、回動軸Ｆ２）も略水平なものである。
第１本装置１１においては、手で把持される把持部４１を本体部（基台部２１とフレーム部３１と把持部４１とを含む）が有するものである。
第１本装置１１においては、前記支持物（ここではテーブル１０１）が本体部（基台部２１とフレーム部３１と把持部４１とを含む）を載置する載置面（上面１０３）を有し、本体部（基台部２１とフレーム部３１と把持部４１とを含む）が該載置面（上面１０３）に載置されることで前記支持物（ここではテーブル１０１）により支持されるものである。
第１本装置１１においては、光照射手段（光照射部６１ａ、６１ｂ）から発せられる光の色温度が変化可能（ここでは色温度調節ノブ２７ｃを操作することで３０００Ｋ〜６５００Ｋ程度の範囲内で変化可能）なものである。
第１本装置１１においては、前記物体が人体の顔面であり、化粧用の鏡として使用されるものである。
【００３３】
（第２実施形態）
図３は、第２実施形態の本発明の鏡装置（以下、「第２本装置」という）２１１を示す正面図であり、図４は第２本装置２１１の右側面図（図３中、矢印Ｊ方向から見たところを示している。）である。図３及び図４を参照して、第２本装置２１１について説明する。なお、図４の状態は、後述の鏡本体２５１及び光照射部２６１ａ、２６１ｂがうまく観察できるように図３の状態から鏡本体２５１を図４中の矢印Ｋ方向に回動させたところを示している。
ここでは第２本装置２１１は、テーブル１０１（支持物）の略水平な上面１０３（載置面）に載置されており、後述の通り鏡本体２５１の反射面２５１ｓに人体の顔面（図示せず）を映して化粧するのに用いられるものである。
【００３４】
第２本装置２１１は、大まかには、テーブル１０１の上面１０３に載置される基台部２２１と、基台部２２１から上方（鉛直上方をいい、図３及び図４中に矢印Ｃとして示す。）に向かって立ち上がるように形成された門型のフレーム部２３１と、フレーム部２３１に対して支持軸２５５ａ、２５５ｂによって回動自在に取り付けられた鏡本体２５１と、鏡本体２５１の上下に一対取り付けられ鏡本体２５１と一緒に基台部２２１に対して回動自在な光照射部２６１ａ、２６１ｂと、を備えてなる。
また、図３及び図４においては、図１及び図２と同様、光照射部２６１ａ、２６１ｂを発光させるための電力供給を行う電線等は図示を省略している。
【００３５】
基台部２２１は、中空箱形状の基台部本体２２３と、基台部本体２２３の上面から上方に向けて立ち上がるように左右一対（図３に「左」を矢印Ｌとして示し、「右」を矢印Ｒとして示す。）形成された立ち上がり部２２４ａ、２２４ｂと、光照射部２６１ａ、２６１ｂから発せられる光線を制御（具体的には断続、強度調整、色温度調整）する図示しない制御部（基台部本体２２３内部に内蔵される。）と、第２本装置２１１の使用者（不図示）が光照射部２６１ａ、２６１ｂからの光線を断続（オンオフ）するため操作する基台部本体２２３外面に設けられた電源スイッチ２２７ａと、第２本装置２１１の使用者（不図示）が光照射部２６１ａ、２６１ｂからの光線の強度を調節するため操作する基台部本体２２３外面に設けられた強度調節ノブ２２７ｂと、第２本装置２１１の使用者（不図示）が光照射部２６１ａ、２６１ｂからの光線の色温度を調節するため操作する基台部本体２２３外面に設けられた色温度調節ノブ２２７ｃと、を備えている。
また、上述の如く、実際には第２本装置２１１に電力供給を行うための電線（先端は、商用電源の交流１００Ｖが供給されるコンセントに接続されるためのプラグが取り付けられており、第２本装置２１１が使用される際には該プラグを該コンセントに接続する。）が基台部２２１には接続されており、該電線によって前記制御部に電源が供給される。前記制御部は、電源スイッチ２２７ａ、強度調節ノブ２２７ｂ及び色温度調節ノブ２２７ｃの操作に応じて光照射部２６１ａ、２６１ｂの発光を制御する。なお、光照射部２６１ａ、２６１ｂは、上述の光照射部６１ａ、６１ｂと同様に、複数の発光ダイオード（ＬＥＤ）によって発光するものであり、発光ダイオードの発光の強度及び色温度の調節は既知の技術を用いて行うことができるのでここでは詳しい説明は省略する。
【００３６】
フレーム部２３１は、上述のフレーム部３１と同様、長方形の３辺に沿って配設された門型（片仮名の「コ」の字型）の金属製の棒状部材によって構成されており、基台部２２１の立ち上がり部２２４ａ、２２４ｂから上方に突出するように立ち上がり部２２４ａ、２２４ｂに取り付けられている（フレーム部２３１が形成する片仮名の「コ」の字の両端（下端）が立ち上がり部２２４ａ、２２４ｂに取り付け（固着）られている）。
そして、フレーム部２３１の最上部に水平方向に向かって配設された横部材２３１ｔと光照射部２６１ａとの間には十分な隙間２３１ｓが形成されており、隙間２３１ｓに手の指（不図示）を挿入して横部材２３１ｔを確実かつ容易に把持することができるので、横部材２３１ｔは、第２本装置２１１の使用者（不図示）の手で把持される把持部を構成する。
【００３７】
鏡本体２５１は、上述の鏡本体５１と同様のものであり、平面の一部（具体的には略長方形）に沿った反射面２５１ｓ（物体を映す面）を有し、支持軸２５５ａ、２５５ｂを介してフレーム部２３１に対し回動軸（以下、「鏡回動軸」という。図３中に点線Ｅにより示し、図４中に点Ｅにより示す。）の回りに回動自在に支持されている。鏡本体２５１の重心を鏡回動軸Ｅはほぼ通過しており（なお、鏡回動軸Ｅは、反射面２５１ｓが形成する略長方形の２辺に略平行であり、かつ他の２辺に略垂直である。）、反射面２５１ｓは鏡回動軸Ｅに対して略線対称になっていることから、鏡本体２５１は鏡回動軸Ｅを中心に円滑に回動することができる。
【００３８】
光照射部２６１ａ、２６１ｂは、いずれも同様のものであり、鏡本体２５１を挟むように上下に一対取り付けられている。光照射部２６１ａ、２６１ｂは、具体的には、金属製の中空な角筒（ここでは底面が正方形の細長い、中空内部を有する四角柱）部材によって形成される外筒部２６３ａ、２６３ｂと、外筒部２６３ａ、２６３ｂの内部に収容された発光ダイオード２６５ａ、２６５ｂと、発光ダイオード２６５ａ、２６５ｂを保護するための透明な樹脂製のカバー２６７ａ、２６７ｂと、を有してなる。外筒部２６３ａ、２６３ｂは、その長手方向が鏡回動軸Ｅに略平行かつ鏡本体２５１の外縁（上縁と下縁）に沿うよう鏡本体２５１に取り付けられており、鏡本体２５１と一緒に基台部２２１に対して鏡回動軸Ｅを中心に円滑に回動することができる。なお、光照射部２６１ａ、２６１ｂと鏡本体２５１とが組み付けられたものの重心を鏡回動軸Ｅはほぼ通過しており、光照射部２６１ａ、２６１ｂが取り付けられた状態でも鏡本体２５１は鏡回動軸Ｅを中心に円滑に回動することができる。
なお、光照射部２６１ａ、２６１ｂとそれが取り付けられた鏡本体２５１は、フレーム部２３１と基台部２２１とにより取り囲まれる空間に配設されているが、鏡本体２５１が鏡回動軸Ｅを中心に回転してもこれらフレーム部２３１や基台部２２１に光照射部２６１ａ、２６１ｂ及び鏡本体２５１のいずれも接触しない。
【００３９】
外筒部２６３ａ、２６３ｂは、それらの形状である角柱（底面が正方形の細長い中空の（直）四角柱）の長手方向（該角柱の高さ方向）に沿って細長く開口２６４ａ、２６４ｂ（内部と外部とを連通させる）が設けられ、開口２６４ａ、２６４ｂに沿って発光ダイオード２６５ａ、２６５ｂが複数（ここでは１０個）配設されている。なお発光ダイオード２６５ａ、２６５ｂは、外筒部２６３ａ、２６３ｂが形成する（直）角柱の長手方向（該角柱の高さ方向）に略平行な線分である光源配置線分２６２ａ、２６２ｂ（仮想上の線分であり図３中では点線で示している。）に沿って複数配設されている。ここでは図示しないが、複数の発光ダイオード２６５ａ、２６５ｂが光源配置線分２６２ａ、２６２ｂに沿って外筒部２６３ａ、２６３ｂの内部にて支持されるよう、真っ直ぐな棒状の発光ダイオード支持部材（不図示）に複数の発光ダイオード２６５ａ、２６５ｂは等間隔で取り付けられており、かかる複数の発光ダイオード２６５ａが長手方向に等間隔にて取り付けられた発光ダイオード支持部材（以下、「発光ダイオード組立体」という）が外筒部２６３ａに内嵌（遊嵌）される（発光ダイオード組立体は外筒部２６３ａに対して所定範囲内にて回動自在である）と共に、複数の発光ダイオード２６５ｂが長手方向に等間隔にて取り付けられた発光ダイオード支持部材（発光ダイオード組立体）が外筒部２６３ｂに内嵌（遊嵌）されている（発光ダイオード組立体は外筒部２６３ｂに対して所定範囲内にて回動自在である）。そして、外筒部２６３ａに内嵌された発光ダイオード組立体はその一端（ここでは右端）近傍に回動つまみ２６８ａを有し、外筒部２６３ｂに内嵌された発光ダイオード組立体はその一端（ここでは右端）近傍に回動つまみ２６８ｂを有し、これら回動つまみ２６８ａ、２６８ｂはいずれも外筒部２６３ａ、２６３ｂ外部から操作可能に露出していることから、第２本装置２１１の使用者は手（不図示）によりこれら回動つまみ２６８ａ、２６８ｂを図３中上下に動かすことで、発光ダイオード組立体いずれも外筒部２６３ａ、２６３ｂに対して所定範囲内にて回動（外筒部２６３ａ、２６３ｂが形成する（直）角柱の長手方向（該角柱の高さ方向）に平行な軸を略中心として回動）させることができる。
なお、前述の如く、発光ダイオード２６５ａ、２６５ｂのいずれも基台部２２１に内蔵される制御部（不図示）に電気的に接続されており、電源スイッチ２２７ａ、強度調節ノブ２２７ｂ及び色温度調節ノブ２２７ｃの操作に応じ、発光ダイオード２６５ａ、２６５ｂからの発光を自由に断続、強度調整及び色温度調整（ここでは３０００Ｋ〜６５００Ｋ程度の範囲内で調整できる。）することができる。
【００４０】
このような第２本装置２１１は、その使用者の手（不図示）によってフレーム部２３１の横部材２３１ｔを把持することで、様々な場所に持ち運んで化粧を行う際の化粧鏡として使用可能である。
そして、図３及び図４に示すように、テーブル１０１の上面１０３等に基台部２２１を載置した後、（ト）化粧を施す顔面（不図示）が反射面２５１ｓにうまく映されるよう鏡本体２５１をフレーム部２３１に対し鏡回動軸Ｅの回りに回動させ調整する。そして、（チ）電源スイッチ２２７ａを入れることで発光ダイオード２６５ａ、２６５ｂを発光させる（無論、第２本装置２１１に電力供給を行うための電線の先端に取り付けられたプラグを、商用電源の交流１００Ｖが供給されるコンセントに接続しておく。）。（リ）化粧を施す顔面（不図示）がうまく観察できるよう強度調節ノブ２２７ｂ及び色温度調節ノブ２２７ｃを操作し発光ダイオード２６５ａ、２６５ｂからの発光を調整する。（ヌ）回動つまみ２６８ａ、２６８ｂを上下方向に操作し発光ダイオード組立体を回動させ回動位置を調節する。そして必要に応じ、これら（リ）及び（ヌ）を適宜行うことで、化粧を施す顔面（不図示）を反射面２５１ｓにうまく映し、化粧をすることができる。なお、第２本装置２１１においては、上記（ト）化粧を施す顔面（不図示）が反射面２５１ｓにうまく映されるよう鏡本体２５１をフレーム部２３１に対し鏡回動軸Ｅの回りに回動させ調整することで、光照射部２６１ａ、２６１ｂも化粧を施す顔面（不図示）に向くように調節される。
【００４１】
以上説明した通り第２本装置２１１は、鏡本体２５１と、鏡本体２５１に映る物体（ここでは化粧を施す顔面）を照らす光照射手段たる光照射部２６１ａ、２６１ｂと、支持物（ここではテーブル１０１）により支持され、鏡本体２５１を第１回動軸（ここでは鏡回動軸Ｅ）の回りに回動可能に支持すると共に、光照射手段（光照射部２６１ａ、２６１ｂ）を第２回動軸（ここでは鏡回動軸Ｅ）の回りに回動可能に支持する本体部（ここでは基台部２２１とフレーム部２３１とを含んで構成される。）と、を備えてなる鏡装置である。
また、第２本装置２１１においては、第１回動軸（鏡回動軸Ｅ）と第２回動軸（鏡回動軸Ｅ）とが一致するものである。
【００４２】
第２本装置２１１においては、光照射手段（光照射部２６１ａ、２６１ｂ）が、線分である光源配置線分２６２ａ、２６２ｂに沿って配設された複数の光源（ここでは複数の発光ダイオード２６５ａ、２６５ｂ）を有するものである。
そして、光源（複数の発光ダイオード２６５ａ、２６５ｂ）が光源配置線分２６２ａ、２６２ｂに平行な線分の回りに回動可能なものである（回動つまみ２６８ａ、２６８ｂを操作し発光ダイオード組立体を回動させればよい）。
【００４３】
第２本装置２１１においては、第１回動軸（鏡回動軸Ｅ）と第２回動軸（鏡回動軸Ｅ）とが一致（いずれも鏡回動軸Ｅ）するものであり、光照射手段（光照射部２６１ａ、２６１ｂ）が鏡本体２５１に取り付けられることにより、光照射手段（光照射部２６１ａ、２６１ｂ）が本体部（基台部２２１とフレーム部２３１とを含んで構成される。）に対して第２回動軸（鏡回動軸Ｅ）の回りに回動可能に支持されるものである。
加えて、第２本装置２１１においては、鏡本体２５１が平面（ここでは略長方形）に沿った反射面２５１ｓを有し、該反射面２５１ｓに略平行な一平面に略属する少なくとも２点（ここでは光照射部２６１ａに関し１０点、光照射部２６１ｂに関し１０点）に光照射手段（光照射部２６１ａ、２６１ｂ）の光源（複数の発光ダイオード２６５ａ、２６５ｂ）が配置されるものである。
【００４４】
第２本装置２１１においては、鏡本体２５１を挟んで一対の光照射手段（光照射部２６１ａ、２６１ｂ）が配設されるものである。
第２本装置２１１の使用状態（例えば、図３及び図４）において第１回動軸（鏡回動軸Ｅ）が略水平なものである。
第２本装置２１１においては、手で把持される把持部（ここではフレーム部２３１の横部材２３１ｔ）を本体部（基台部２２１とフレーム部２３１とを含んで構成される。）が有するものである。
第２本装置２１１においては、前記支持物（ここではテーブル１０１）が本体部（基台部２２１とフレーム部２３１とを含んで構成される。）を載置する載置面（上面１０３）を有し、本体部（基台部２２１とフレーム部２３１とを含んで構成される。）が該載置面（上面１０３）に載置されることで前記支持物（ここではテーブル１０１）により支持されるものである。
第２本装置２１１においては、光照射手段（光照射部２６１ａ、２６１ｂ）から発せられる光の色温度が変化可能（ここでは色温度調節ノブ２２７ｃを操作することで３０００Ｋ〜６５００Ｋ程度の範囲内で変化可能）なものである。
第２本装置２１１においては、前記物体が人体の顔面であり、化粧用の鏡として使用されるものである。
【００４５】
（第３実施形態）
図５は、第３実施形態の本発明の鏡装置（以下、「第３本装置」という）３１１を示す斜視図であり、詳細には、図５（ａ）は、使用状態の第３本装置３１１を、後述する鏡本体３５１の反射面３５１ｓが見える方向から見たところを示す斜視図であり、図５（ｂ）は鏡本体３５１が表面３９１ａ側に取り付けられた鏡取付板３９１の裏面３９１ｂが見える方向（図５（ａ）中の矢印Ｍ方向）から見たところを示す斜視図である。）である。図５を参照して、第３本装置３１１について説明する。
ここに第３本装置３１１は、テーブル等のような支持物（不図示）の略水平な上面１０３（載置面）に載置されており、鏡本体３５１の反射面３５１ｓに人体の顔面（図示せず）を映して化粧するのに用いられるものである。
【００４６】
第３本装置３１１は、大まかには、上面１０３（載置面）に載置される底板３２１（両主表面３２１ａ、３２１ｂいずれも略長方形であり、主表面３２１ｂが上面１０３（載置面）に面する。）と、底板３２１の一縁に沿って底板３２１に一の長縁３２３ｅが回動自在に取り付けられた短冊状（両主表面いずれも細長い略長方形）の背板３２３と、背板３２３の他の長縁３２３ｆ（該一の長縁３２３ｅに対して略平行な縁）に沿って背板３２３に一の縁部３２５ｃが回動自在に取り付けられた天板３２５（両主表面いずれも略長方形）と、天板３２５の他の縁部３２５ｄ（背板３２３に取り付けられた該一の縁部３２５ｃと略平行な縁部）に縁部が回動自在に取り付けられた鏡取付板３９１と、鏡取付板３９１の表面３９１ａ側に取り付けられた鏡本体３５１と、鏡取付板３９１の表面３９１ａ側に鏡本体３５１を挟んで左右一対取り付けられた光照射部３６１ａ、３６１ｂと、光照射部３６１ａ、３６１ｂから発せられる光線を断続する図示しない制御部（鏡取付板３９１内部に内蔵される。）と、第３本装置３１１の使用者（不図示）が光照射部３６１ａ、３６１ｂからの光線を断続（オンオフ）するため操作する鏡取付板３９１の表面３９１ａ側に取り付けられた電源スイッチ３２７と、第３本装置３１１に電力供給を行うための電線３９８（先端は、商用電源の交流１００Ｖが供給されるコンセントに接続されるためのプラグ３９８ｐが取り付けられており、第３本装置３１１が使用される際にはプラグ３９８ｐを該コンセントに接続する。）と、を備えてなる。なお、鏡取付板３９１内部には電線３９８を巻き付け収納するリール（不図示）が配設されており、電線３９８を引き出すとその引き出し長さにて電線３９８は保持されるが、収納ボタン３９９を押すと該リールによって電線３９８が巻き取られ、最終的にプラグ３９８ｐは鏡取付板３９１に設けられたプラグ収容窪み３９１ｐに収容される。
【００４７】
底板３２１と天板３２５とは背板３２３を挟んで、本を開閉するように開閉することができ（底板３２１が本の裏表紙、天板３２５が本の表表紙そして背板３２３が本の背表紙に該当する。）、図５の状態から鏡取付板３９１を図５中の矢印Ｑ方向に回動させることで鏡取付板３９１を底板３２１と天板３２５との間に挟み込むことができる（この鏡取付板３９１を底板３２１と天板３２５との間に挟み込んだ状態を以下「折りたたみ状態」という。折りたたみ状態のときには底板３２１と天板３２５とはほぼ平行になり、鏡取付板３９１の表面３９１ａは底板３２１の主表面３２１ａに面し（ほぼ密接する）、鏡取付板３９１の裏面３９１ｂは天板３２５に面する（ほぼ密接する）ことで、第３本装置３１１の可搬性を高め、さらに鏡本体３５１（特に反射面３５１ｓ）及び光照射部３６１ａ、３６１ｂが底板３２１により覆われることで鏡本体３５１（特に反射面３５１ｓ）及び光照射部３６１ａ、３６１ｂを他の物との衝突等から保護することができる。）。このように鏡取付板３９１を底板３２１と天板３２５との間にうまく挟み込むことができるように背板３２３の幅（背板３２３の長縁３２３ｆと長縁３２３ｅとの間の距離）が決定されている。
なお、鏡本体３５１の反射面３５１ｓは鏡取付板３９１の表面３９１ａとほぼ同じ高さ（一平面にほぼ属する）になるよう、鏡本体３５１は鏡取付板３９１に埋設されるように取り付けられている。
また、光照射部３６１ａ、３６１ｂは、いずれも鏡取付板３９１に内蔵された複数の発光ダイオード（不図示）と、これら複数の発光ダイオードを保護する乳白色の半透明の短冊状のプラスチックカバー板３６１ａｐ、３６１ｂｐと、を有しているが、プラスチックカバー板３６１ａｐ、３６１ｂｐと鏡本体３５１の反射面３５１ｓと鏡取付板３９１の表面３９１ａとはほぼ同じ高さ（一平面にほぼ属する）になるようにされている。
【００４８】
このような第３本装置３１１は、折りたたみ状態においては書籍又はラップトップ（ノートブック）型パーソナルコンピュータのような形状及び寸法であるので可搬性に優れると共に鏡本体３５１（特に反射面３５１ｓ）及び光照射部３６１ａ、３６１ｂが底板３２１と天板３２５との間に挟まれた状態になって他の物との衝突等から保護される。
従って、第３本装置３１１は、折りたたみ状態においてその使用者の手（不図示）によって把持され、様々な場所に自由に持ち運んで化粧を行う際の化粧鏡として使用可能である。
そして、テーブル等のような支持物の上面１０３に底板３２１の主表面３２１ｂが面するように折りたたみ状態のまま第３本装置３１１は載置される。
その後、図５に示すように底板３２１に対して天板３２５を回動（背板３２３の長縁３２３ｆ及び／又は長縁３２３ｅを中心とした回動）させつつ、天板３２５に対して鏡取付板３９１を回動（天板３２５の他の縁部３２５ｄを中心に矢印Ｑとは逆方向に回動させる）させて、化粧を施す顔面（不図示）が反射面３５１ｓにうまく映されるよう鏡本体３５１を天板３２５の他の縁部３２５ｄの回りに回動させ調整する。なお、底板３２１に対する鏡取付板３９１の角度は、鏡取付板３９１の下縁３９１ｗと底板３２１の主表面３２１ａとの間の摩擦力により任意の位置にて保持される。
そして、電源スイッチ３２７を入れることで光照射部３６１ａ、３６１ｂを発光させる（無論、電線３９８を必要程度引き出し、商用電源の交流１００Ｖが供給されるコンセントにプラグ３９８ｐを接続しておく。）。
このようにして、化粧を施す顔面（不図示）を反射面３５１ｓにうまく映し、化粧をすることができる。なお、第３本装置３１１においては、化粧を施す顔面（不図示）が反射面３５１ｓにうまく映されるよう、鏡本体３５１が取り付けられた鏡取付板３９１を天板３２５の他の縁部３２５ｄの回りに回動させ調整することで、光照射部３６１ａ、３６１ｂも化粧を施す顔面（不図示）に向くように調節される。
第３本装置３１１の使用終了後、電源スイッチ３２７を切り、コンセントからプラグ３９８ｐを抜き、収納ボタン３９９を押して電線３９８を巻き取ると共に、プラグ３９８ｐをプラグ収容窪み３９１ｐに収容する。そして、鏡取付板３９１を図５中の矢印Ｑ方向に回動させ、鏡取付板３９１を底板３２１と天板３２５との間に挟み込むことで再び折りたたみ状態に戻すことができる。
【００４９】
以上説明したように、第３本装置３１１は、鏡本体３５１と、鏡本体３５１に映る物体（ここでは化粧を施す顔面）を照らす光照射手段たる光照射部３６１ａ、３６１ｂと、支持物（上面１０３を有するテーブル等のような支持物）により支持され、鏡本体３５１を第１回動軸（天板３２５の他の縁部３２５ｄ）の回りに回動可能に支持すると共に、光照射手段（光照射部３６１ａ、３６１ｂ）を第２回動軸（天板３２５の他の縁部３２５ｄ）の回りに回動可能に支持する本体部（ここでは底板３２１と天板３２５と背板３２３とを含んで構成される。）と、を備えてなる鏡装置である。
第３本装置３１１においては、第１回動軸と第２回動軸とが一致（いずれも天板３２５の他の縁部３２５ｄ）するものである。
第３本装置３１１においては、光照射手段（光照射部３６１ａ、３６１ｂ）が、線分である光源配置線分３８１ａ、３８１ｂに沿って配設された複数の光源（発光ダイオード）を有するものである。
【００５０】
第３本装置３１１においては、光源配置線分３８１ａ、３８１ｂの一端近傍において光照射手段（光照射部３６１ａ、３６１ｂ）が本体部（底板３２１と天板３２５と背板３２３とを含んで構成される。）に第２回動軸（天板３２５の他の縁部３２５ｄ）の回りに回動可能に支持されるものである。
第３本装置３１１においては、光源配置線分３８１ａ、３８１ｂに平行な直線と、第２回動軸（天板３２５の他の縁部３２５ｄ）と、が略垂直に交わるものである。
第３本装置３１１においては、第１回動軸と第２回動軸とが一致（いずれも天板３２５の他の縁部３２５ｄ）するものであり、光照射手段（光照射部３６１ａ、３６１ｂ）が鏡本体３５１に取り付けられる（鏡取付板３９１を介して光照射手段（光照射部３６１ａ、３６１ｂ）が鏡本体３５１に間接的に取り付けられる）ことにより、光照射手段（光照射部３６１ａ、３６１ｂ）が本体部（底板３２１と天板３２５と背板３２３とを含んで構成される。）に対して第２回動軸（天板３２５の他の縁部３２５ｄ）の回りに回動可能に支持されるものである。
【００５１】
第３本装置３１１においては、鏡本体３５１が平面に沿った反射面３５１ｓを有し、該反射面３５１ｓに略平行な一平面に略属する少なくとも２点に光照射手段（光照射部３６１ａ、３６１ｂ）の光源（発光ダイオード）が配置されるものである。
第３本装置３１１においては、鏡本体３５１を挟んで一対の光照射手段（光照射部３６１ａ、３６１ｂ）が配設されるものである。
図５に示すように、第３本装置３１１の使用状態において第１回動軸（天板３２５の他の縁部３２５ｄ）が略水平かつ上面１０３に略平行なものである。
第３本装置３１１は、手で把持される把持部を本体部（底板３２１と天板３２５と背板３２３とを含んで構成される。）が有するようにしてもよい。
第３本装置３１１においては、前記支持物が本体部（底板３２１と天板３２５と背板３２３とを含んで構成される。）を載置する載置面（上面１０３）を有し、本体部（底板３２１と天板３２５と背板３２３とを含んで構成される。）が該載置面（上面１０３）に載置されることで前記支持物により支持されるものである。
第３本装置３１１においては、光照射手段（光照射部３６１ａ、３６１ｂ）から発せられる光の色温度及び／又は強度が変化可能なものであってもよい。
第３本装置３１１においては、前記物体が人体の顔面であり、化粧用の鏡として使用されるものである。
第３本装置３１１は、鏡本体３５１及び光照射手段（光照射部３６１ａ、３６１ｂ）が取り付けられた鏡取付板３９１を、互いに回動可能な底板３２１と天板３２５との間に挟み込んだ折りたたみ状態とすることができるので、第３本装置３１１の可搬性を高め、さらに鏡本体３５１及び光照射手段（光照射部３６１ａ、３６１ｂ）を保護することができる。
【図面の簡単な説明】
【００５２】
【図１】第１実施形態の本発明の鏡装置（第１本装置）を示す正面図である。
【図２】第１本装置の右側面図である。
【図３】第２実施形態の本発明の鏡装置（第２本装置）を示す正面図である。
【図４】第２本装置の右側面図である。
【図５】第３実施形態の本発明の鏡装置（第３本装置）を示す斜視図である。
【符号の説明】
【００５３】
１１                  第１実施形態の本発明の鏡装置（第１本装置）
２１                  基台部
２３                  基台部本体
２４ａ                左側立ち上がり部
２４ｂ                右側立ち上がり部
２４ｃ                中央立ち上がり部
２７ａ                電源スイッチ
２７ｂ                強度調節ノブ
２７ｃ                色温度調節ノブ
３１                  フレーム部
３１ｔ                横部材
４１                  把持部
５１                  鏡本体
５１ｓ                反射面
５５ａ、５５ｂ        支持軸
６１ａ、６１ｂ        光照射部
６２ａ、６２ｂ        光源配置線分
６３ａ、６３ｂ        外筒部
６４ａ、６４ｂ        開口
６５ａ、６５ｂ        発光ダイオード
６７ａ、６７ｂ        カバー
６８ａ、６８ｂ        回動つまみ
１０１                  テーブル
１０３                  上面
２１１                  第２実施形態の本発明の鏡装置（第２本装置）
２２１                  基台部
２２３                  基台部本体
２２４ａ、２２４ｂ      立ち上がり部
２２７ａ                電源スイッチ
２２７ｂ                強度調節ノブ
２２７ｃ                色温度調節ノブ
２３１                  フレーム部
２３１ｓ                隙間
２３１ｔ                横部材
２５１                  鏡本体
２５１ｓ                反射面
２５５ａ、２５５ｂ      支持軸
２６１ａ、２６１ｂ      光照射部
２６２ａ、２６２ｂ      光源配置線分
２６３ａ、２６３ｂ      外筒部
２６４ａ、２６４ｂ      開口
２６５ａ、２６５ｂ      発光ダイオード
２６７ａ、２６７ｂ      カバー
２６８ａ、２６８ｂ      回動つまみ
３１１                  第３実施形態の本発明の鏡装置（第３本装置）
３２１                  底板
３２１ａ、３２１ｂ      主表面
３２３                  背板
３２３ｅ、３２３ｆ      長縁
３２５                  天板
３２５ｃ                縁部
３２５ｄ                縁部
３２７                  電源スイッチ
３５１                  鏡本体
３５１ｓ                反射面
３６１ａ、３６１ｂ      光照射部
３６１ａｐ、３６１ｂｐ  プラスチックカバー板
３８１ａ、３８１ｂ      光源配置線分
３９１                  鏡取付板
３９１ａ                表面
３９１ｂ                裏面
３９１ｐ                プラグ収容窪み
３９１ｗ                下縁
３９８                  電線
３９８ｐ                プラグ
３９９                  収納ボタン
【図１】
2010110495.tif 000003
【図２】
2010110495.tif 000004
【図３】
2010110495.tif 000005
【図４】
2010110495.tif 000006
【図５】
2010110495.tif 000007